(57)【要約】【課題】洗浄水の供給量のばらつきが少なく、節水を図りつつ、良好に便器洗浄を行なうことができる水洗式便器を提供する。【解決手段】水洗式便器は、便鉢部１１を有する便器本体１０と、給水源の給水圧により洗浄水を便器本体１０に供給する便器洗浄装置２０と、便器洗浄装置２０を制御する制御装置３０と、便鉢部１１の水位が所定水位に到達したことを検知可能な水位センサー４０とを備えている。制御装置３０は、便器洗浄装置２０が便器本体１０へ洗浄水の供給を開始してから便鉢部１１の水位が所定水位に到達したことを水位センサー４０が検知するまでの増水時間Ｔ１を測定可能なタイマーＴを有している。増水時間Ｔ１と、予め求められた便鉢部１１へ洗浄水の供給を開始してから所定水位に到達するまでの洗浄水の供給量Ｖ１とから洗浄水の流量値Ｘ１を算出し、この流量値Ｘ１に基づいて便器洗浄装置２０の便器本体１０への洗浄水の供給を制御する。【選択図】図１
2011038308.tif 000002
【特許請求の範囲】
【請求項１】
便鉢部及び便鉢部の下流側に連通する便器排水路を有する便器本体と、便器本体が据え付けられるトイレルームに引き出された給水源に連通する給水管に接続され、給水源の給水圧により洗浄水を便器本体に供給する便器洗浄装置と、便器洗浄装置を制御する制御装置とを備えた水洗式便器であって、
前記便鉢部の水位が所定水位に到達したことを検知可能な水位センサーを備え、前記制御装置は、前記便器洗浄装置が便器本体へ洗浄水の供給を開始してから便鉢部の水位が所定水位に到達したことを水位センサーが検知するまでの増水時間を測定可能なタイマーを有し、測定された増水時間と、予め求められた便鉢部へ洗浄水の供給を開始してから所定水位に到達するまでの洗浄水の供給量とから前記便器洗浄装置が便器本体へ供給する洗浄水の単位時間当たりの流量値を算出し、この流量値に基づいて便器洗浄装置の便器本体への洗浄水の供給を制御することを特徴とする水洗式便器。
【請求項２】
前記便器本体は、前記便鉢部の上端周縁部に設けられたリム通水路と、前記便器排水路の下流方向へ洗浄水を噴出するジェット噴出口とを有し、
前記便器洗浄装置は、リム通水路へ洗浄水を供給するリム洗浄と、ジェット噴出口へ洗浄水を供給するジェット洗浄とを実行可能であり、
前記制御装置は、便器洗浄をリム洗浄、ジェット洗浄の順に実行させるものであり、このリム洗浄の実行の際に覆水水位よりも上方の水位を前記所定水位として前記流量値を算出し、この流量値に基づいてジェット洗浄を制御することを特徴とする請求項１記載の水洗式便器。
【請求項３】
前記便器本体は、前記便鉢部の上端周縁部に設けられたリム通水路と、前記便器排水路の下流方向へ洗浄水を噴出するジェット噴出口とを有し、
前記便器洗浄装置は、リム通水路へ洗浄水を供給するリム洗浄と、ジェット噴出口へ洗浄水を供給するジェット洗浄とを実行可能であり、
前記制御装置は、便器洗浄をリム洗浄、ジェット洗浄、リム洗浄の順に実行させるものであり、この２回目のリム洗浄の実行の際に覆水水位を前記所定水位として前記流量値を算出し、この流量値に基づいて次回の便器洗浄の洗浄水の供給を制御することを特徴とする請求項１記載の水洗式便器。
【請求項４】
前記便器本体は、前記便鉢部の上端周縁部に設けられたリム通水路を有し、
前記便器洗浄装置は、リム通水路へ洗浄水を供給するリム洗浄を実行可能であり、
前記制御装置は、リム洗浄の実行の際に覆水水位よりも上方の上昇水位を前記所定水位として前記流量値を算出し、この流量値に基づいてリム洗浄を制御することを特徴とする請求項１記載の水洗式便器。
【請求項５】
前記便器排水路内の空気を吸引する吸引装置を備え、前記制御装置は前記流量値に基づいて吸引装置の吸引制御を行なうことを特徴とする請求項４記載の水洗式便器。
【発明の詳細な説明】
【技術分野】
【０００１】
本発明は水洗式便器に関する。
【背景技術】
【０００２】
特許文献１に従来の水洗式便器が開示されている。この水洗式便器は、便器本体と、洗浄水を便器本体に供給する便器洗浄装置と、便器洗浄装置を制御する制御装置とを備えている。便器本体は便鉢部及び便鉢部の下流側に連通する便器排水路を有している。便器洗浄装置は、洗浄水の単位時間当たりの流量（以下、流量という。）が多い第１給水手段と、第１給水手段に比べて洗浄水の流量が少ない第２給水手段とを有している。また、便器洗浄装置は便鉢部の水位を検知する圧力センサーを備えている。
【０００３】
この水洗式便器では、便器洗浄の最後に覆水する際、当初は洗浄水の流量が多い第１給水手段から便鉢部へ洗浄水を供給し、その後、圧力センサーにより便鉢部の水位を測定しながら、洗浄水の流量が少ない第２給水手段により便鉢部へ洗浄水を供給する。このため、便鉢部の水位を所定の水位に精度良く設定することができる。
【０００４】
また、特許文献２に従来の他の水洗式便器が開示されている。この水洗式便器は、便器本体と、洗浄水を便器本体に供給する便器洗浄装置と、便器洗浄装置を制御する制御装置とを備えている。便器本体は便鉢部及び便鉢部の下流側に連通する便器排水路を有している。便器洗浄装置は流量検出手段と開閉弁とを有している。また、便器洗浄装置は、便器本体が据え付けられたトイレルームに引き出された給水源に連通する給水管に接続され、給水源の給水圧により洗浄水を便器本体に供給可能である。
【０００５】
この水洗式便器では、流量検出手段で洗浄水の流量を直接的に検出し、開閉弁の閉弁タイミングを制御している。このため、給水圧が異なる場合でも、便器本体に供給される洗浄水を所望する供給量にすることができる。
【先行技術文献】
【特許文献】
【０００６】
【特許文献１】特開２００７−１３８４３２号公報
【特許文献２】特開２００２−２９４７９１号公報
【発明の概要】
【発明が解決しようとする課題】
【０００７】
しかし、特許文献１の水洗式便器では、便鉢部の水位が所定の水位に到達したことを圧力センサーが検知した後に制御装置が便器洗浄装置の洗浄水の供給を停止する。つまり、便鉢部の水位が所定の水位に到達してから便器洗浄装置の洗浄水の供給が停止されるまでに時間差が生じてしまう。このため、便器本体に供給される洗浄水の流量が多い場合には、便器本体に供給される洗浄水の供給量が所望する供給量よりも多くなってしまうおそれがある。つまり、便器本体に供給される洗浄水の流量が変化すると、便器本体に供給される洗浄水の供給量がばらついてしまうおそれがある。このように、特許文献１の水洗式便器では便器本体に供給される洗浄水の供給量が便器本体に供給される洗浄水の流量の変化によりばらついてしまうおそれがある。このため、所望する節水を図ることができないおそれがある。
【０００８】
一方、特許文献２の水洗式便器では、流量検出手段により直接的に洗浄水の流量を検出することができるが、瞬間の流量に基づいて開閉弁の閉弁を制御するため、供給源の給水圧が変化し、便器洗浄中に洗浄水の流量が変化した場合、便器本体への洗浄水の供給量がばらついてしまうおそれがある。このため、節水を図ることができなかったり、便器洗浄を良好に行うことができなかったりするおそれがある。
【０００９】
本発明は、上記従来の実情に鑑みてなされたものであって、洗浄水の供給量のばらつきが少なく、節水を図りつつ、良好に便器洗浄を行なうことができる水洗式便器を提供することを解決すべき課題としている。
【課題を解決するための手段】
【００１０】
本発明の水洗式便器は、便鉢部及び便鉢部の下流側に連通する便器排水路を有する便器本体と、便器本体が据え付けられるトイレルームに引き出された給水源に連通する給水管に接続され、給水源の給水圧により洗浄水を便器本体に供給する便器洗浄装置と、便器洗浄装置を制御する制御装置とを備えた水洗式便器であって、
前記便鉢部の水位が所定水位に到達したことを検知可能な水位センサーを備え、前記制御装置は、前記便器洗浄装置が便器本体へ洗浄水の供給を開始してから便鉢部の水位が所定水位に到達したことを水位センサーが検知するまでの増水時間を測定可能なタイマーを有し、測定された増水時間と、予め求められた便鉢部へ洗浄水の供給を開始してから所定水位に到達するまでの洗浄水の供給量とから前記便器洗浄装置が便器本体へ供給する洗浄水の単位時間当たりの流量値を算出し、この流量値に基づいて便器洗浄装置の便器本体への洗浄水の供給を制御することを特徴とする。
【００１１】
この水洗式便器では、便器本体へ洗浄水の供給が開始されてから便鉢部の水位が所定水位に到達するまでの増水時間をタイマーにより測定し、その増水時間と、その間に供給された予め求められた洗浄水の供給量とから便器本体に供給される洗浄水の流量値を求めている。このため、流量値は増水時間の間の平均値となるため、洗浄水の給水源の給水圧の変化等に起因して、その間に流量の変化が生じても、その影響を少なくすることができる。よって、その流量値に基づいて便器洗浄装置の便器本体への洗浄水の供給を制御するため、便器本体に供給される洗浄水は設定した洗浄水の供給量に近く、ばらつきの少ないものにすることができる。
【００１２】
したがって、本発明の水洗式便器は、洗浄水の供給量のばらつきが少なく、節水を図りつつ、便器洗浄を良好に行なうことができる。
【００１３】
前記便器本体は、前記便鉢部の上端周縁部に設けられたリム通水路と、前記便器排水路の下流方向へ洗浄水を噴出するジェット噴出口とを有し、
前記便器洗浄装置は、リム通水路へ洗浄水を供給するリム洗浄と、ジェット噴出口へ洗浄水を供給するジェット洗浄とを実行可能であり、
前記制御装置は、便器洗浄をリム洗浄、ジェット洗浄の順に実行させるものであり、このリム洗浄の実行の際に覆水水位よりも上方の水位を前記所定水位として前記流量値を算出し、この流量値に基づいてジェット洗浄を制御し得る。
【００１４】
この場合、ジェット洗浄の直前に実行されたリム洗浄の際に算出された流量値に基づいてジェット洗浄を制御するため、実際にジェット洗浄の際に供給される洗浄水の供給量を設定した供給量に近づけることができ、ばらつきの少ないものにすることができる。
【００１５】
前記便器本体は、前記便鉢部の上端周縁部に設けられたリム通水路と、前記便器排水路の下流方向へ洗浄水を噴出するジェット噴出口とを有し、
前記便器洗浄装置は、リム通水路へ洗浄水を供給するリム洗浄と、ジェット噴出口へ洗浄水を供給するジェット洗浄とを実行可能であり、
前記制御装置は、便器洗浄をリム洗浄、ジェット洗浄、リム洗浄の順に実行して便器洗浄を終了させ、この２回目のリム洗浄の実行の際に覆水水位を前記所定水位として前記流量値を算出し、この流量値に基づいて次回の便器洗浄の洗浄水の供給を制御し得る。
【００１６】
この場合、便器洗浄がリム洗浄、ジェット洗浄、リム洗浄の順に実行され、ジェット洗浄の際に汚物等は便鉢部から便器排水路の下流側へ排出される。このため、流量値を算出する２回目のリム洗浄の際には便鉢部内に浮遊する汚物等が存在せず、水位の検知を正確に行なうことができる。よって、算出された流量値は実際に供給される洗浄水の流量に近い値にすることができる。この流量値を用いて、次回の便器洗浄のリム洗浄及びジェット洗浄を制御するため、実際に便器本体に供給される洗浄水を設定した供給量に近づけることができる。
【００１７】
前記便器本体は、前記便鉢部の上端周縁部に設けられたリム通水路を有し、
前記便器洗浄装置は、リム通水路へ洗浄水を供給するリム洗浄を実行可能であり、
前記制御装置は、リム洗浄の実行の際に覆水水位よりも上方の上昇水位を前記所定水位として前記流量値を算出し、この流量値に基づいてリム洗浄を制御し得る。
【００１８】
この場合、算出された流量値に基づいてリム洗浄が終了するタイミングを特定し、便器洗浄を終了させることができる。このため、実際にリム洗浄により便器本体に供給される洗浄水を設定した供給量に近づけることができる。
【００１９】
前記便器排水路内の空気を吸引する吸引装置を備え、前記制御装置は前記流量値に基づいて吸引装置の吸引制御を行ない得る。この場合、吸引装置が便器排水路内の空気を吸引することにより便器排水路内にサイホン作用を発生させ、吸引装置が便器排水路内へ空気を排出することにより便器排水路内のサイホン作用が終了する。このため、流量値の大小に応じて、吸引装置を制御することにより、便器排水路内に良好にサイホン作用を発生させることができ、便器洗浄を良好に行なうことができる。
【図面の簡単な説明】
【００２０】
【図１】実施例１の水洗式便器を表す断面図である。
【図２】実施例１の便器洗浄において、（Ａ）は便鉢部の水位、（Ｂ）はリム洗浄、（Ｃ）はジェット洗浄を表すグラフである。
【図３】実施例１の便器洗浄の工程を示すフローチャートである。
【図４】実施例２の水洗式便器を表す断面図である。
【図５】実施例３の水洗式便器を表す断面図である。
【図６】実施例３の便器洗浄において、（Ａ）は便鉢部の水位、（Ｂ）はリム洗浄、（Ｃ）は吸引タンクの吸引量を表すグラフである。
【図７】実施例３の便器洗浄の工程を示すフローチャートである。
【発明を実施するための形態】
【００２１】
本発明の水洗式便器を具体化した実施例１〜３を図面を参照しつつ説明する。
【実施例１】
【００２２】
実施例１の水洗式便器は、図１に示すように、便器本体１０と、洗浄水を便器本体１０に供給する便器洗浄装置２０と、便器洗浄装置２０を制御する制御装置３０とを備えている。便器本体１０は、便鉢部１１及び便鉢部１１の下流側に連通する便器排水路１２を有している。
【００２３】
便鉢部１１の上端周縁部にはリム通水路１３が設けられている。リム通水路１３にはリム連通管１３Ｊが連通されている。このため、便器洗浄装置２０からリム連通管１３Ｊを介してリム通水路１３へ洗浄水を供給する、いわゆるリム洗浄が実行可能である。リム洗浄では、リム通水路１３に供給された洗浄水が一方向に流れ、徐々に便鉢部１１の表面に沿って流れ落ち、便鉢部１１内に旋回流が形成される。
【００２４】
また、便器排水路１２の上流下端部に貫設された貫通孔１４には、ジェット噴出口１６が形成されたジェットノズル１５が取り付けられている。ジェットノズル１５にはジェット連通管１５Ｊが接続されている。このため、便器洗浄装置２０からジェット連通管１５Ｊを介してジェット噴出口１６へ洗浄水を供給する、いわゆるジェット洗浄が実行可能である。ジェット洗浄では、ジェット噴出口１６から便器排水路１２の下流方向へ洗浄水が噴出される。
【００２５】
便器排水路１２の下流端部は、便器本体１０が据え付けられた床面Ｆに固定された排水接続管１７の上部開口に挿入され、連結されている。排水接続管１７の下部開口は、床面Ｆに引き出された排水管Ｄに連結されている。
【００２６】
便器洗浄装置２０は、便器本体１０が据え付けられたトイレルームＲに引き出された給水源Ｓに連通する給水管２１に接続されている。また、便器洗浄装置２０は、リム連通管１３Ｊの上流端に連結されるリム吐出管２３Ａと、ジェット連通管１５Ｊの上流端に連結されるジェット吐出管２３Ｂとを有している。また、便器洗浄装置２０は、リム吐出管２３Ａ及びジェット吐出管２３Ｂの夫々に設けられた開閉弁２２Ａ、２２Ｂを有している。このため、開閉弁２２Ａが開弁されることによりリム洗浄が実行可能であり、開閉弁２２Ｂが開弁されることによりジェット洗浄が実行可能である。
【００２７】
実施例１の水洗式便器は、便鉢部１１の後部上方に水位センサー４０を備えている。水位センサー４０は光学式センサーであり、便鉢部１１の水位が所定水位に到達したことを検知可能である。
【００２８】
制御装置３０は便器洗浄装置２０の開閉弁２２Ａ、２２Ｂの開閉を制御可能である。実施例１の水洗式便器では、図示しないリモコン装置に設けられた便器洗浄ボタンが操作され、便器洗浄が開始されると、図２に示すように、リム洗浄、ジェット洗浄、リム洗浄の順に実行されるように制御装置３０は開閉弁２２Ａ、２２Ｂの開閉を制御する。この便器洗浄では、１回目のリム洗浄により、便鉢部１１の水位は上昇水位Ｌ２まで上昇する。次に実行されるジェット洗浄により、ジェット噴出口１６から噴出する洗浄水が便鉢部１１内の汚物等を便器排水路１２の下流へ排出し、便鉢部１１の水位は便器排水路１２の上流端開口付近まで下降する。次に実行される２回目のリム洗浄により、便鉢部１１の水位は覆水水位Ｌ１まで上昇し、水封が形成される。
【００２９】
また、制御装置３０は、図１に示すように、水位センサー４０の駆動、設定及び検知信号の処理を制御可能である。実施例１の水洗式便器では、制御装置３０により、所定水位が１回目のリム洗浄により便鉢部１１の水位が最も上昇した上昇水位Ｌ２に設定されている。このため、水位センサー４０は便鉢部１１の水位が上昇水位Ｌ２に到達したことを検知可能である。
【００３０】
また、制御装置３０は、便器洗浄装置２０のリム吐出管２３Ａに設けられた開閉弁２２Ａが開弁され、リム洗浄が開始されてから便鉢部１１の水位が上昇水位Ｌ２に到達したことを水位センサー４０が検知するまでの増水時間Ｔ１を測定可能なタイマーＴを有している。
【００３１】
また、制御装置３０は、予め求められているリム洗浄が開始される前の便鉢部１１の覆水水位Ｌ１から便鉢部１１の水位が上昇水位Ｌ２に到達するまでに要する洗浄水の供給量Ｖ１が記憶されている記憶部Ｍを有している。
【００３２】
これにより、制御装置３０は、タイマーＴにより測定した増水時間Ｔ１と、記憶部Ｍに記憶されている供給量Ｖ１とにより、１回目のリム洗浄において便鉢部１１に供給された洗浄水の流量値Ｘ１を算出する。このため、算出された流量値Ｘ１は、増水時間Ｔ１の間の平均値になる。よって、洗浄水の給水源の給水圧の変化等に起因して、その間の流量の変化が生じても、その影響を少なくすることができる。
【００３３】
一方、便器洗浄におけるジェット洗浄において便器本体１０に供給される洗浄水の供給量Ｖ２、及び２回目のリム洗浄において便鉢部１１のジェット洗浄における最低水位から覆水水位Ｌ１に到達するまでに要する洗浄水の供給量Ｖ３は予め設定されており、夫々が記憶部Ｍに記憶されている。このため、流量値Ｘ１と供給量Ｖ２、Ｖ３とからジェット洗浄時間Ｔ２及び２回目のリム洗浄時間Ｔ３を算出することができる。流量の変化の影響が少ない流量値Ｘ１に基づいてジェット洗浄時間Ｔ２及び２回目のリム洗浄時間Ｔ３が算出されているため、実際にジェット洗浄及び２回目のリム洗浄で供給される洗浄水の供給量は、設定した供給量Ｖ２、Ｖ３に近く、ばらつきの少ないものにすることができる。
【００３４】
したがって、実施例１の水洗式便器は、洗浄水の供給量のばらつきが少なく、節水を図りつつ、便器洗浄を良好に行なうことができる。
【００３５】
算出されたジェット洗浄時間Ｔ２及び２回目のリム洗浄時間Ｔ３は記憶部Ｍに記憶される。記憶されたジェット洗浄時間Ｔ２及び２回目のリム洗浄時間Ｔ３に従って、ジェット洗浄及び２回目のリム洗浄は実行される。
【００３６】
次に、このように構成された実施例１の水洗式便器の便器洗浄の工程を図３を参照しつつ説明する。
【００３７】
図示しないリモコン装置に設けられた便器洗浄ボタンが操作され、便器洗浄が開始されると、便器洗浄装置２０の開閉弁２２Ａが開弁され、１回目のリム洗浄が開始される（ステップＳ１）。これにより便鉢部１１の水位は上昇する。１回目のリム洗浄が開始されるとともにタイマーＴが時間測定を開始する（ステップＳ２）。便鉢部１１の水位が上昇水位Ｌ２に到達したのを水位センサー４０が検知すると、タイマーＴが増水時間Ｔ１の測定し、開閉弁２２Ａが閉弁され、１回目のリム洗浄が終了する（ステップＳ３、Ｓ４）。
【００３８】
一方、上述したように、タイマーＴにより測定された増水時間Ｔ１に基づいて流量値Ｘ１が算出され、流量値Ｘ１に基づいてジェット洗浄時間Ｔ２及び２回目のリム洗浄時間Ｔ３を算出する（ステップＳ１２）。
【００３９】
１回目のリム洗浄が終了した後、タイマーＴをリセットし（ステップＳ５）、ジェット洗浄が開始される（ステップＳ６）。ジェット洗浄は算出されたＴ２時間の間、実行される（ステップＳ７）。ジェット洗浄の間、便鉢部１１内の汚物等は便器排水路１２の下流へ排出され、便鉢部１１の水位は下降する。ジェット洗浄が終了する（ステップＳ８）と、２回目のリム洗浄が開始される（ステップＳ９）。２回目のリム洗浄は算出されたＴ３時間の間、実行される（ステップＳ１０）。２回目のリム洗浄により、便鉢部１１の水位は覆水水位Ｌ１まで上昇し、水封が形成され、２回目のリム洗浄が終了し（ステップＳ１１）、便器洗浄が終了する。
【００４０】
このように実行される便器洗浄において、洗浄水の給水源の給水圧の変化等に起因して流量が変化した場合、図２（Ａ）〜（Ｃ）に示すように、便鉢部１１の水位、リム洗浄の流量及び時間、ジェット洗浄の流量及び時間が変化する。つまり、図２では、流量が多く、増水時間Ｔ１が短い場合が点線で示され、流量が少なく、増水時間Ｔ１が長い場合が二点鎖線で示され、その中間の場合が実線で示されている。リム洗浄及びジェット洗浄の供給量は、図２（Ｂ）、（Ｃ）のグラフで示される各台形の面積で表せるが、増水時間Ｔ１が変化しても、各台形の面積は略等しい。つまり、実施例１の水洗式便器は、流量が変化しても便器本体に供給される洗浄水の供給量はばらつきが少なく、節水を図りつつ、便器洗浄を良好に行なうことができる。
【実施例２】
【００４１】
実施例２の水洗式便器は、図４に示すように、便鉢部１１の後部上方に備えられた水位センサー４１が覆水水位Ｌ１に到達したことを検知可能である。また、タイマーＴは、便器洗浄における２回目のリム洗浄の際に、開閉弁２２Ａが開弁され、リム洗浄が開始されてから便鉢部１１の水位が覆水水位Ｌ１に到達したことを水位センサー４１が検知するまでの増水時間Ｔ４を測定する。また、制御装置３１の記憶部Ｍには、予め求められている２回目のリム洗浄が開始される前の便鉢部１１の下降水位Ｌ３から便鉢部１１の水位が覆水水位Ｌ１に到達するまでに要する洗浄水の供給量Ｖ４が記憶されている。
【００４２】
これにより、制御装置３１は、タイマーＴにより測定した増水時間Ｔ４と、記憶部Ｍに記憶されている供給量Ｖ４とにより、２回目のリム洗浄において便鉢部１１に供給された洗浄水の流量値Ｘ２を算出する。このため、算出された流量値Ｘ２は、増水時間Ｔ４の間の平均値になる。よって、洗浄水の給水源の給水圧の変化等に起因して、その間の流量の変化が生じても、その影響を少なくすることができる。
【００４３】
一方、便器洗浄における１回目のリム洗浄において便鉢部１１の水位が覆水水位Ｌ１から所定の高さの上昇水位に到達するまでに要する洗浄水の供給量Ｖ５、及びジェット洗浄において便器本体１０に供給される洗浄水の供給量Ｖ６は予め設定されており、夫々が記憶部Ｍに記憶されている。このため、流量値Ｘ２と供給量Ｖ５、Ｖ６とから１回目のリム洗浄時間Ｔ５及びジェット洗浄時間Ｔ６を算出することができる。これにより、次回の便器洗浄における１回目のリム洗浄及びジェット洗浄が実行される。このように、流量の変化の影響が少ない流量値Ｘ２に基づいて１回目のリム洗浄時間Ｔ５及びジェット洗浄時間Ｔ６が算出されているため、実際に１回目のリム洗浄及びジェット洗浄で供給される洗浄水の供給量は、設定した供給量Ｖ５、Ｖ６に近く、ばらつきの少ないものにすることができる。他の構成については、実施例１と同様であり、同一の構成については同一の符号を付し詳細な説明を省略する。
【００４４】
したがって、実施例２の水洗式便器は、洗浄水の供給量のばらつきが少なく、節水を図りつつ、便器洗浄を良好に行なうことができる。
【実施例３】
【００４５】
実施例３の水洗式便器は、図５に示すように、便器本体１００と、洗浄水を便器本体１００に供給する便器洗浄装置１２０と、便器洗浄装置１２０を制御する制御装置１３０とを備えている。便器排水路１１２は、便鉢１１に一体に形成された上流側便器排水路１１２Ａと、上流側便器排水路１１２Ａの下流端開口に連結された下流側便器排水路１１２Ｂとから構成されている。下流側排水路１１２Ｂは、排水接続管１１７を介して床面Ｆに引き出された排水管Ｄと連通されている。また、実施例３の水洗式便器は、便器排水路１１２内の空気を吸引する吸引装置５０を備えている。他の構成は、実施例１と同様であり、同一の構成については同一の符号を付し詳細な説明を省略する。
【００４６】
吸引装置５０は、吸引タンク５１と駆動装置５２とを有している。吸引タンク５１の内部は、図示しない上下方向に移動可能な隔膜により、上下の２室に区画されている。吸引タンク５１の下面には、下方に延びる円筒状の吸引口５１Ａが設けられている。吸引口５１Ａは、下流側便器排水路１１２Ｂの後部上面に形成された接続口１１２Ｃに連結されている。吸引タンク５１の上面には、開口部が貫設され、駆動装置５２に連結された接続管５１Ｊが接続されている。
【００４７】
駆動装置５２は、モーターＥを内蔵し、モーターＥが駆動されることにより、接続管５１Ｊを介して吸引タンク５１内の隔膜より上方の上部室に対し、空気を吸引したり、排出したりすることができる。駆動装置５２が吸引タンク５１内の上部室の空気を吸引することにより、吸引タンク５１内の隔膜が上方に移動する。これにより、便器排水路１１２内の空気を吸引タンク５１内の隔膜より下方の下部室が吸引する。また、駆動装置５２が吸引タンク５１内の上部室に空気を排出することにより、吸引タンク５１内の隔膜が下方に移動する。これにより、吸引タンク５１内の下部室に吸引された空気が便器排水路１１２内へ排出される。
【００４８】
下流側便器排水路１１２Ｂの下流端部は、便器本体１００が据え付けられた床面Ｆに固定された排水接続管１１７の上部開口に挿入され、連結されている。排水接続管１１７は螺旋状に湾曲し、洗浄水が滞留する滞留部が形成されている。排水接続管１７の下部開口は、床面Ｆに引き出された排水管Ｄに連結されている。
【００４９】
便器洗浄装置１２０は、リム連通管１３Ｊの上流端に連結され、開閉弁２２Ａ２を有している。開閉弁２２Ａが開弁されることによりリム洗浄が実行可能である。
【００５０】
制御装置１３０は、吸引装置５０を制御可能である。つまり、制御装置１３０は駆動装置５２を制御し、吸引タンク５１の便器排水路１１２内の空気の吸引と、吸引タンク５１内の空気の便器排水路１１２内への排出を行なうことができる。
【００５１】
実施例３の水洗式便器では、図示しないリモコン装置に設けられた便器洗浄ボタンが操作され、便器洗浄が開始されると、図６に示すように、リム洗浄が実行される。リム洗浄の実行中に吸引装置５０の吸引タンク５１が便器排水路１１２内の空気の吸引及び排出を実行する。このように開閉弁２２Ａを開閉し、吸引装置５０の駆動装置５２を駆動するよう制御装置１３０は開閉弁２２Ａ及び吸引装置５０を制御する。この便器洗浄では、リム洗浄が開始され、吸引タンク５１が便器排水路１１２内の空気を吸引するまでの間、便鉢部１１の水位は上昇水位Ｌ２まで上昇する。吸引タンク５１が便器排水路１１２内の空気を吸引すると、便器排水路１１２内にサイホン作用が発生する。便器排水路１１２内に発生したサイホン作用により、便鉢部１１内の汚物等は便器排水路１１２の下流へ排出され、便鉢部１１の水位は上流側便器排水路１１２Ａの上流端開口付近まで下降する。次に吸引タンク５１内の空気が便器排水路１１２内に排出されると、サイホン作用が終了する。これにより、便鉢部１１の水位は覆水水位Ｌ１まで上昇し、水封が形成されてリム洗浄が終了する。
【００５２】
制御装置１３０は、便器洗浄（リム洗浄）に利用される洗浄水の供給量Ｖ８は予め設定されており、記憶部Ｍに記憶されている。また、制御装置１３０は、タイマーＴにより測定した増水時間Ｔ１と、供給量Ｖ１とにより流量値Ｘ１を算出する。このため、流量値Ｘ１と供給量Ｖ８とによりリム洗浄時間Ｔ８を算出することができる。流量の変化の影響が少ない流量値Ｘ１に基づいてリム洗浄時間Ｔ８が算出されているため、実際にリム洗浄で供給される洗浄水の供給量は、設定した供給量Ｖ８に近く、ばらつきの少ないものにすることができる。
【００５３】
したがって、実施例３の水洗式便器も、洗浄水の供給量のばらつきが少なく、節水を図りつつ、便器洗浄を良好に行なうことができる。
【００５４】
また、流量値Ｘ１と吸引タンク５１が便器排水路１１２内の空気の吸引を開始してから吸引タンク５１内の空気を便器排水路１１２内へ排出するまでの吸引時間Ｔ７とは相関関係がある。つまり、流量値Ｘ１が少なくなれば、吸引時間Ｔ７は短くする。これは、便鉢部１１内の洗浄水が殆んど排出されることにより破封音が生じてしまうことを防ぐため、流量値Ｘ１が少ない場合には、吸引時間Ｔ７を短くし、便鉢部１１内の洗浄水がなくなる前に吸引タンク５１内の空気を便器排水路１１２内へ排出してサイホン作用を終了させる。制御装置１３０の記憶部Ｍには、流量値Ｘ１と吸引時間Ｔ７との相関関係を示すチャートが記憶されており、流量値Ｘ１に応じて吸引時間Ｔ７が決定される。
【００５５】
次に、このように構成された実施例３の水洗式便器の便器洗浄の工程を図７を参照しつつ説明する。
【００５６】
図示しないリモコン装置に設けられた便器洗浄ボタンが操作され、便器洗浄が開始されると、便器洗浄装置１２０の開閉弁２２Ａが開弁され、リム洗浄が開始される（ステップＳ３１）。これにより便鉢部１１の水位は上昇する。リム洗浄が開始されるとともにタイマーＴが時間測定を開始する（ステップＳ３２）。便鉢部１１の水位が上昇水位Ｌ２に到達したのを水位センサー４０が検知すると、すると、タイマーＴが増水時間Ｔ１を測定する。
【００５７】
一方、上述したように、タイマーＴにより測定された増水時間Ｔ１に基づいて流量値Ｘ１が算出され、流量値Ｘ１に基づいて吸引時間Ｔ７及びリム洗浄時間Ｔ８を算出する（ステップＳ４０）。
【００５８】
便鉢部１１の水位が上昇水位Ｌ２に到達したのを水位センサー４０が検知した後、タイマーＴをリセットし（ステップＳ３４）、吸引装置５０の吸引タンク５１による便器排水路１１２内の空気の吸引を開始する（ステップＳ３５）。これにより、便器排水路１１２内にサイホン作用が発生する。サイホン作用は、吸引状態が継続する間（ステップＳ３６）、つまり算出された吸引時間Ｔ７の間、継続する。この間、弁鉢部１１内の汚物等は便器排水路１１２の下流へ排出され、便鉢部１１の水位は下降する。吸引時間Ｔ７を経過すると吸引タンク５１内の空気を便器排水路１１２内へ排出する（ステップＳ３７）。これにより、便器排水路１１２内のサイホン作用は終了し、便鉢部１１の水位は上昇する。リム洗浄時間Ｔ８が経過するまで（ステップＳ３８）、リム洗浄が継続され、便鉢部１１の水位は覆水水位Ｌ１まで上昇し、水封が形成される。リム洗浄時間Ｔ８を経過するとリム洗浄が終了し（ステップＳ３９）、便器洗浄が終了する。
【００５９】
このように実行される便器洗浄において、洗浄水の給水源の給水圧の変化等に起因して流量が変化した場合、図６（Ａ）〜（Ｃ）に示すように、便鉢部１１の水位、リム洗浄の流量及び時間、吸引タンクの吸引時間が変化する。つまり、図６では、流量が多く、増水時間Ｔ１が短い場合が点線で示され、流量が少なく
増水時間Ｔ１が長い場合が実線で示されている。リム洗浄の供給量は、図６（Ｂ）のグラフで示される各台形の面積で表せるが、増水時間Ｔ１が変化しても、各台系の面積は略等しい。つまり、実施例３の水洗式便器も、流量が変化しても便器本体に供給される洗浄水の供給量はばらつきが少なく、節水を図りつつ、便器洗浄を良好に行なうことができる。
【００６０】
本発明は、上記記載及び図面によって説明した実施例１〜３に限定されるものではなく、例えば次のような実施例も本発明の技術的範囲に含まれる。
（１）実施例１では、２回目のリム洗浄時間を算出し、２回目のリム洗浄を終了させていたが、覆水水位を検知可能な水位センサーを備え、その検知により２回目のリム洗浄を終了させてもよい。また、同様に実施例３においても、覆水水位を検知可能な水位センサーを備え、その検知によりリム洗浄を終了させてもよい。
（２）実施例３では、便器排水路内の空気を吸引する吸引装置を備えていたが、吸引装置を備えず、リム洗浄のみを実施する水洗式便器であってもよい。
（３）実施例１〜３では、水位センサーは光学式であったが、他の方式のものであってもよい。例えば、ジェットノズルに取り付けた圧力センサーで水頭圧を計るものやフロート式のものであってもよい。
（４）実施例１及び２では、便器洗浄をリム洗浄、ジェット洗浄、リム洗浄の順に実行するものであったが、リム洗浄後のジェット洗浄を実行して便器洗浄を終了させてもよい。その場合、ジェット洗浄により便鉢部の水位を覆水水位に復帰させる。
（５）実施例１及び２では、便器洗浄においてリム洗浄、ジェット洗浄、リム洗浄をオーバーラップさせずに実行させたが、これらをオーバーラップして実行してもよい。
（６）実施例１〜３では、制御装置は開閉弁の開閉制御を行なったが、流量調整機能を有する開閉弁等にすることにより、便器本体に供給される洗浄水の流量を制御してもよい。
（７）実施例３では、制御装置は吸引装置の吸引時間を制御したが、吸引量を制御してもよい。
【符号の説明】
【００６１】
１０、１００…便器本体
１１…便鉢部
１２、１１２…便器排水路
１３…リム通水路
１６…ジェット噴出口
２０、１２０…便器洗浄装置
２１…給水管
３０、１３０…制御装置
４０、４１…水位センサー
５０…吸引装置
Ｒ…トイレルーム
Ｓ…給水源
Ｔ…タイマー
【図１】
2011038308.tif 000003
【図２】
2011038308.tif 000004
【図３】
2011038308.tif 000005
【図４】
2011038308.tif 000006
【図５】
2011038308.tif 000007
【図６】
2011038308.tif 000008
【図７】
2011038308.tif 000009